(57)【要約】【課題】  単式ホルダーの予備のロールトイレットペーパーの員数を増やすための収納部を設け、なお、複数個収納できるホルダーの重力で一個ずつ下に落とす機構を除去し、内部及び外観をシンプルにしたロールトイレットペーパーホルダーを提供する。【解決手段】  上部に自重で下がる保持つめを設け、使用するための予備のロールトイレットペーパーを複数個収納でき簡単な操作で、その予備のロールトイレットペーパーを保持つめに装着し、使用できる状態にできる便利なロールトイレットペーパーホルダー。【選択図】  図１
2006334335.tif 000002
【特許請求の範囲】
【請求項１】
下方から上向きに装着すると、ロールトイレットペーパーを保持できるように形成された保持つめを上部に有し、上部開口部を開閉するための蓋と、上部からロールトイレットペーパーを挿入するための前面開口部と、予備のロールトイレットペーパーを複数個収納できるように形成された収納部と、ロールトイレットペーパーを上下に移動するためのスライド用前面開口部を備えた前記収納部と、前記前面開口部を備えたことを特徴とするロールトイレットペーパーホルダー。
【発明の詳細な説明】
【技術分野】
【０００１】  本発明は、現在、すでに市販されている複数個保持のロールトイレットペーパーホルダーが重力を利用して上から下に一個ずつ落とし使用状態にしているものを、下から上に向かってホルダーに簡単にセットし、使用状態にできるロールトイレットペーパーホルダーに関するものである。
【背景技術】
【０００２】  従来、ロールトイレットペーパーホルダーはロールトイレットペーパーを１個だけ装着し使用し、その下に布で，ロールトイレットペーパーを巻くようにして，予備を１個保持していたが，うっかり補充を忘れると，トイレを使用した時に後の始末に困ってしまうことがあった。
また、ロールトイレットペーパーホルダーを２個並べて取付けて使用しているところもあるが、これも補充を忘れてしまえば非常に不便であった。
その他、予備ロールトイレットペーパーを複数個保持しているロールトイレットペーパーホルダーを、病院・デパート・ホテルなど人の多く集まる所では使用しているところもあるがかなり大きく機構的にも少し難しいし、操作もメーカーにより少しずつ違うので、結構わかりにくいものもあった。
【発明の開示】
【発明が解決しようとする課題】
【０００３】  そのために、次のような問題点があった。
（イ）単式ホルダーではロールトイレットペーパーの補充を忘れてしまった時など，急いでトイレに駆け込んだ人は用を済まして、後始末をする時になってから苦慮することがあった。
（ロ）普通の家庭では、だいたいホルダーにロールトイレットペーパーを１個つけ，その下にロールトイレットペーパー１個を布で巻き込んだような状態で，吊り下げ使用しているが，この布の中のロールトイレットペーパーを抜き取るのも，また、そこに入れるのも結構面倒なものであった。そこで、ついついこまめに補充するのを忘れてしまう場合があった。
（ハ）病院、デパートなど人の多く集まる所では、予備ロールトイレットペーパーを複数個保持しているホルダーを見かけるが、使用中のロールトイレットペーパーがなくなった時の、予備ロールトイレットペーパーを補充するときは重力を利用して１個ずつ下に落とすようになっているが、よく見ると結構機構的に複雑であり、コスト高になっていた。
本発明は、以上の問題点を解決するためになされたものである。
【課題を解決するための手段】
【０００４】  上部に自重で下がるロールトイレットペーパー保持つめを設け、ロールトイレットペーパー１個を保持し使用することができ、なおかつ、その下に予備のロールトイレットペーパー複数個を収納できるホルダー本体を設け、予備ロールトイレットペーパーを上下に移動するためのスライド用前面開口部から予備のロールトイレットペーパーを一個ずつ指先で掴み、上に持ち上げてゆき上部の保持つめに装着することができる。
なお、予備品を一個でも使用した後は気のついた時点でホルダー本体の前面開口部から、いつでも予備のロールトイレットペーパーを補充することができる
以上を特徴とするロールトイレットペーパーホルダーである。
【発明の効果】
【０００５】  本発明のホルダーは、非常にシンプルなホルダーであり、予備のロールトイレットペーパーを使用するときは、一番上の予備品を一個だけ指で掴んで下から上に少し移動するだけで、ホルダーに簡単に装着することができる。
しかし、現在、すでに市販されている複数個保持のロールトイレットペーパーホルダーは重力を利用し、一個ずつ下に落とし使用できる状態にしているが、一個ずつ落とすための機構を具備していたり、ホルダーの保持つめのところにバネを使用しているが、本発明のホルダーは，そういうものを一切除去し、安価に製作できる。
また、予備のロールトイレットペーパーの員数を増やそうとした時、現在，市販されているものは重量を考慮して、一個ずつ下に落とすための機構の強度を上げる必要も出てくると思うが，本発明のホルダーはそのようなことを考慮する必要がない。
予備のロールトイレットペーパーが使い初めであっても、予備品を入れるスペースがあればホルダー本体の前面開口部から、予備のロールトイレットペーパーをいつでも簡単に補充することができる。
なお、本発明のホルダーは家庭用としても充分使用可能である。
【発明を実施するための最良の形態】
【０００６】  以下、本発明の実施の形態について説明する
（イ）２ミリメートルの厚さの塩化ビニール板からなり、左右の縦長の側板（１０）（１０）と、後板（１３）と、底板（１１）と、上部に前面開口部（８）と、下部にスライド用前面開口部（９）を形成する前板（１２）とによってホルダー本体（１）を構成する。
（ロ）ホルダー本体（１）の最上部は開閉できる，ホルダー本体フタ（５）を設ける。
（ハ）そのホルダー本体フタ（５）のすぐ下に自重で下がるロールトイレットペーパー（１４）を固定する保持つめ（２）を設け，そこにロールトイレットペーパー（１４）１個を保持し使用する。保持つめ（２）は保持つめケース（３）で覆う。
本発明は、以上の構成よりなっている。
本発明を使用するときは、使用中のロールトイレットペーパー（１４）が使い終わった時は、ホルダー本体（１）の中に保持されている、予備のロールトイレットペーパー（１４）を指で掴んで、スライド用前面開口部（９）を移動させて上部の保持つめ（２）に装着し、引続き使用することができる。
なお，ホルダー本体（１）の取付けは、ホルダー本体（１）の後面に４個のホルダー本体取付穴（７）を設け、皿タッピングネジにより固定する。
使用中のロールトイレットペーパー（１４）が少ない時は、まず，ホルダー本体（１）の前面を見れば予備品が保持されているか、いないか一目瞭然なので、より安心である。
【図面の簡単な説明】
【０００７】
【図１】本発明の斜視図
【図２】本発明の保持つめの詳細図  （ａ）図（ｂ）を上から見た図  （ｂ）保持つめ取付部の斜視図
【図３】本発明のロールトイレットペーパーを４個セットした時のホルダー本体の斜視図
【図４】本発明のロールトイレットペーパーを１個使用し終わって、予備品を１個指で掴んでいる状態の斜視図
【図５】本発明のロールトイレットペーパーを保持つめに装着している状態の斜視図
【符号の説明】
【０００８】１    ホルダー本体
２    保持つめ
３    保持つめケース
４    保持つめ支点
５    ホルダー本体フタ
６    ホルダー本体フタ支点
７    ホルダー本体取付穴
８    前面開口部
９    スライド用前面開口部
１０  側板
１１  底板
１２  前板
１３  後板
１４  ロールトイレットペーパー
【図１】
2006334335.tif 000003
【図２】
2006334335.tif 000004
【図３】
2006334335.tif 000005
【図４】
2006334335.tif 000006
【図５】
2006334335.tif 000007